(57)【要約】【課題】宝玉を並べて連珠としての配置を確認することができるのはもちろん、宝玉に開けた紐通し孔に紐類を挿通するためにも使用することができる連珠状装身具の連結用トレイを提供しようとするものである。【解決手段】連珠状装身具の複数の宝玉を繋ぎ合わせるためのトレイであって、適宜形状のトレイ本体の周囲に側壁を立ち上げ、底面には各宝玉の保護シートを敷設した上、前記側壁の１辺に、宝玉を並べて連珠としての並べ順を確認するためのＶ字状断面のガイドレールを配置したことを特徴とする連珠状装身具の連結用トレイ。【選択図】図２
0003160224.tif 000002
【実用新案登録請求の範囲】
【請求項１】
連珠状装身具の複数の宝玉を繋ぎ合わせるためのトレイであって、適宜形状のトレイ本体の周囲に側壁を立ち上げ、底面には各宝玉の保護シートを敷設した上、前記側壁の１辺に、宝玉を並べて連珠としての並べ順を確認するためのＶ字状断面のガイドレールを配置したことを特徴とする連珠状装身具の連結用トレイ。
【請求項２】
前記適宜形状のトレイ本体がほぼ矩形をなし、その長手方向の側壁の１辺に、宝玉を並べて連珠としての並べ順を確認するためのＶ字状断面のガイドレールを配置したことを特徴とする請求項１に記載の連珠状装身具の連結用トレイ。
【請求項３】
前記トレイ本体が、宝玉を並べて連珠としての配置を確認するための所定の面積を備えていることを特徴とする請求項１または２に記載の連珠状装身具の連結用トレイ。
【考案の詳細な説明】
【技術分野】
【０００１】
本考案は連珠状装身具の連結用トレイに関し、詳しくは数珠やネックレス等の連珠状装身具に用いる宝玉を所定の配列に連結するために使用する連珠状装身具の連結用トレイに関する。
【背景技術】
【０００２】
従来、数珠やネックレス等の連珠状装身具に用いる宝玉を紐類で連結するために使用する工具類としては、たとえば実公昭３２−４４８６号公報（特許文献１参照）、実公昭３９−３４１７２号公報（特許文献２参照）、特開昭５２−５６６７５号公報（特許文献３参照）、特開昭５２−５８６６７号公報（特許文献４参照）、実開昭６１−１９３１７号公報（特許文献５参照）、特開平８−８９３１８号公報（特許文献６参照）、特開平８−８９３１９号公報（特許文献７参照）、特開平１１−２９１６９９号公報（特許文献８参照）等が知られている。
【０００３】
しかしながら、いずれの工具類も連珠状装身具に用いる宝玉に開けた紐通し孔に紐類を挿通することを主眼としたものである。
他方、宝玉を並べて連珠としての配置を確認するための道具としては、所定の面積を備えた皿状のトレイがあるのみであった。
【先行技術文献】
【特許文献】
【０００４】
【特許文献１】実公昭３２−４４８６号公報
【特許文献２】実公昭３９−３４１７２号公報
【特許文献３】特開昭５２−５６６７５号公報
【特許文献４】特開昭５２−５８６６７号公報
【特許文献５】実開昭６１−１９３１７号公報
【特許文献６】特開平８−８９３１８号公報
【特許文献７】特開平８−８９３１９号公報
【特許文献８】特開平１１−２９１６９９号公報
【考案の概要】
【考案が解決しようとする課題】
【０００５】
上述のように、従来の工具類は連珠状装身具に用いる宝玉に開けた紐通し孔に紐類を挿通することを主眼としたものであり、宝玉を並べて連珠としての配置を確認することはできなかった。
また、所定の面積を備えた皿状のトレイでは、宝玉を並べて連珠としての配置を確認することはできたとしても、宝玉に開けた紐通し孔に紐類を挿通する用途には用いることができないという問題があった。
【０００６】
そこでこの考案の目的は、宝玉を並べて連珠としての配置を確認することができるのはもちろん、宝玉に開けた紐通し孔に紐類を挿通するためにも使用することができる連珠状装身具の連結用トレイを提供しようとするものである。
【課題を解決するための手段】
【０００７】
本考案は前記した課題を達成するために、下記の技術的手段を採用した。
請求項１の連珠状装身具の連結用トレイの技術的手段は、連珠状装身具の複数の宝玉を繋ぎ合わせるためのトレイであって、適宜形状のトレイ本体の周囲に側壁を立ち上げ、底面には各宝玉の保護シートを敷設した上、前記側壁の１辺に、宝玉を並べて連珠としての並べ順を確認するためのＶ字状断面のガイドレールを配置したことを特徴とするものである。
【０００８】
請求項２の連珠状装身具の連結用トレイの技術的手段は、前記適宜形状のトレイ本体がほぼ矩形をなし、その長手方向の側壁の１辺に、宝玉を並べて連珠としての並べ順を確認するためのＶ字状断面のガイドレールを配置したことをも特徴とするものである。
【０００９】
請求項３の連珠状装身具の連結用トレイの技術的手段は、前記トレイ本体が、宝玉を並べて連珠としての配置を確認するための所定の面積を備えていることをも特徴とするものである。
【考案の効果】
【００１０】
請求項１の考案によれば、宝玉を並べて連珠としての配置を確認することができるのはもちろん、宝玉に開けた紐通し孔に紐類を挿通するためにも使用することができる連珠状装身具の連結用トレイを提供することが可能となった。
請求項２の考案によれば、前記適宜形状のトレイ本体がほぼ矩形をなし、その長手方向の側壁の１辺に、宝玉を並べて連珠としての並べ順を確認するためのＶ字状断面のガイドレールを配置したので、宝玉を並べて連珠としての配置を確認し、さらに宝玉に開けた紐通し孔に紐類を挿通する作業を手際よく行えるようになった。
さらに請求項３の考案によれば、前記トレイ本体が宝玉を並べて連珠としての配置を確認するための所定の面積を備えており、宝玉を並べて連珠としての配置を無理なく確認することができるようになった。
【図面の簡単な説明】
【００１１】
【図１】本考案の連珠状装身具の連結用トレイの実施の形態を示す斜視図である。
【図２】ガイドレールに宝玉を収納した状態の平面図である。
【図３】図２のＡ−Ａ拡大断面図である。
【図４】連珠状装身具の完成状態を示す平面図である。
【図５】図４のＢ−Ｂ拡大断面図である。
【考案を実施するための最良の形態】
【００１２】
以下、本考案の連珠状装身具の連結用トレイの実施の形態を図面に基いて詳細に説明する。
図１ないし図３において、この考案の連珠状装身具の連結用トレイ１１は、連珠状装身具２１の複数の宝玉２２を繋ぎ合わせるためのトレイであって、適宜形状のトレイ本体１２の周囲には側壁１３が立ち上げてある。
またトレイ本体１２は、図１に示すようにその底面に各宝玉２２の保護シート１４を敷設した上、前記側壁１３の１辺に、宝玉２２を並べて連珠としての並べ順を確認するためのＶ字状断面のガイドレール１５が配置してある。
【００１３】
前記トレイ本体１２の素材としては、木材、アルミニウムその他の金属、硬質プラスチック等が好適に使用することができる。
また、保護シート１４としては、コーデュロイやフリース等の起毛した織物、プラスチックシートに植毛を施したもの、その他宝玉２２表面を傷つけない素材を用いることが望ましい。したがって宝玉２２は、図１に示すように必要な個数をトレイ本体１２の保護シート１４上に散布するようにして拡げることができる。
【００１４】
前記適宜形状のトレイ本体１２としては、図２および図３に示すようにほぼ矩形に形成することが望ましく、その長手方向の側壁１３の１辺に沿って、宝玉２２を並べて連珠としての並べ順を確認するためのＶ字状断面のガイドレール１５を配置してある。
したがって、保護シート１４上に拡げられている宝玉２２を所定の順序にピックアップしてガイドレール１５上に並べ、連珠としての並べ順を確認することができる。
もちろん、並べ順が決まった時点で、宝玉２２に設けた紐通し孔２３に紐（図示せず）を通して連珠状装身具２１を完成することもできる。
【００１５】
図４および図５において、前記トレイ本体１２は宝玉２２を並べて連珠としての配置を確認するための所定の面積を備えている。
このトレイ本体１２の広さは、数珠やネックレス等の連珠状装身具のサイズに応じて適宜決定することができる。
【００１６】
本考案の連珠状装身具の連結用トレイ１１の利用に際しては、図１のように必要な個数をトレイ本体１２の保護シート１４上に散布するようにして拡げた宝玉２２を、図２および図３のようにガイドレール１５上に並べて連珠としての並べ順を確認し、その上で図４および図５のように紐通し孔２３に紐を通すか、あるいは紐を通さない状態で連珠としての配置を確認することができる。
【００１７】
したがって、本考案によれば宝玉を並べて連珠としての配置を確認することができるのはもちろん、宝玉に開けた紐通し孔に紐類を挿通するためにも使用することができる連珠状装身具の連結用トレイを提供することが可能となった。
【産業上の利用可能性】
【００１８】
本考案の連珠状装身具の連結用トレイは、数珠やネックレス、ブレスレット等の連珠状装身具の連結用としてはもちろん、連珠状の物品のための、多岐にわたる用途に用いることができる。
【符号の説明】
【００１９】
１１  連珠状装身具の連結用トレイ
１２  トレイ本体
１３  側壁
１４  保護シート
１５  ガイドレール
２１  連珠状装身具
２２  宝玉
２３  紐通し孔
【図１】
0003160224.tif 000003
【図２】
0003160224.tif 000004
【図３】
0003160224.tif 000005
【図４】
0003160224.tif 000006
【図５】
0003160224.tif 000007